(57)【特許請求の範囲】
【請求項１】
前面に本体開口部を具備する室内機本体と、
該室内機本体に設置され、前記本体開口部を覆い且つ開放する回動パネルと、
該回動パネルの前面に貼付され、該回動パネルに形成された回動パネル開口部を覆うスクリーンと、
前記回動パネルに隙間を空けて設置され、前記回動パネルの前面を覆う前面パネルと、
前記室内機本体に設置され、前記スクリーンに向けて光を出射することができる発光手段を具備する投影装置と、を有し、
前記投影装置が、前記発光手段が搭載された基板を収納する基板収納箱を具備し、
該基板収納箱の前面側に、前記回動パネルの後面に当接する当接部と、前記回動パネル開口部に侵入自在な侵入部とが形成され、
前記侵入部の前面が前記スクリーンに当接した際、前記当接部が前記回動パネルの後面に当接し、
前記侵入部の前面に、光透過範囲と光不透過範囲とを具備する印刷シートが設置され、
前記基板収納箱の侵入部が、角部に面取り部が形成された略四角柱であって、前記基板収納箱の当接部が、前記面取り部の後面側に形成され、
前記回動パネル開口部の隅部に面付け部が形成され、
前記当接部が前記面付け部の後面に当接した際、前記侵入部の前面もしくは前記印刷シートが前記スクリーンに当接することを特徴とする空気調和機の室内機。
【請求項２】
前記当接部が前記回動パネルの後面に当接した際、前記侵入部に替えて、前記印刷シートが前記スクリーンに当接することを特徴とする請求項１記載の空気調和機の室内機。
【請求項３】
前記基板収納箱が、前記発光手段が搭載された基板を保持する基板ホルダーと、前記基板ホルダーを進退自在、且つ抜け出し不能に保持する投影装置ベースと、前記基板ホルダーを前面側に付勢する付勢手段と、を具備し、
前記基板ホルダーの前面側に、前記当接部および前記侵入部が形成されていることを特徴とする請求項１または２記載の空気調和機の室内機。
【請求項４】
前記スクリーンが、側辺が円弧状の略等脚台形であって、側辺と上辺とが滑らかに繋がっていることを特徴とする請求項１乃至３の何れかに記載の空気調和機の室内機。
【請求項５】
前記回動パネルが不透明材料によって形成され、
前記前面パネルが透明材料または半透明材料によって形成され、
前記スクリーンが半透明材料または不透明材料によって形成され、
前記回動パネルが室内機本体の前面開口部を覆い、且つ、前記発光手段が消灯した時は、前記前面パネルおよび前記スクリーンによって前記投影装置が覆い隠され、
前記回動パネルが室内機本体の前面開口部を覆い、且つ、前記発光手段が点灯した時は、前記発光手段が出射する光が前記スクリーンおよび前記前面パネルを透過することを特徴とする請求項１乃至４の何れかに記載の空気調和機の室内機。
【請求項６】
前記前面パネルの後面に、シボ加工によって凹凸が形成されていることを特徴とする請求項５記載の空気調和機の室内機。
【請求項７】
前記スクリーンが前記回動パネルと略同一色彩または略同一模様であることを特徴とする請求項５または６記載の空気調和機の室内機。
【発明の詳細な説明】
【技術分野】
【０００１】
本発明は空気調和機の室内機、特に、運転状況等を表示する機能を有する空気調和機の室内機に関するものである。
【背景技術】
【０００２】
従来、運転状況等を表示する機能を有する空気調和機の室内機として、前面側に前面パネルが取り付けられ、回動パネル開口部が形成された回動パネルと、回動パネル開口部に設置されたスクリーンと、スクリーンに向けて光を出射する発光手段を搭載した投影装置と、を有する発明が開示されている（例えば、特許文献１参照）。
【先行技術文献】
【特許文献】
【０００３】
【特許文献１】特開２０１１−６４３５１号公報（第７−９頁、図８）
【発明の概要】
【発明が解決しようとする課題】
【０００４】
特許文献１に開示された空気調和機の室内機は、回動パネルおよびスクリーンが不透明材料によって、前面パネルが透明材料または半透明材料によってそれぞれ形成されている。そのため、回動パネルが室内機本体の前面開口部を覆った状態で、発光手段が消灯している時は、前面パネルおよびスクリーンによって投影装置が覆い隠されるから、外観の意匠性が向上するという特徴を有していた。
また、回動パネルが室内機本体の前面開口部を覆った状態で、発光手段が点灯した時、発光手段が出射する光はスクリーンおよび前面パネルを透過する。したがって、例えば、発光手段から出射された光を、所定の文字や図形が描かれた印刷シート（マスキングシートに同じ）を通してスクリーンの後面に出射すれば、スクリーンに投影された「光の像」を前面パネルを通して視認することができるから、ユーザー（在室者）に運転状態等を知らせることができ、情報伝達の機能性に優れているという特徴を有していた。
【０００５】
しかしながら、特許文献１に開示された空気調和機の室内機は、投写された「光の像」の鮮明度を高めるため、スクリーンに投影装置の前面（前面に貼付された印刷パネル）を押し付けているため、押し付け力が強い場合には、スクリーンが撓んだり、剥がれたりして損傷するおそれがあった。
また、回動パネルの前面側に矩形状のスクリーンを貼り付けているため、スクリーンの周縁（回動パネルとの段差）が、前面パネルを通して視認され、意匠性が損なわれるおそれがあった。
このため、これらのおそれを低減したいという要請があった。
【０００６】
本発明は前記おそれを解消するためになされたものであって、第１の目的は、スクリーンの損傷のおそれを解消すること、第２の目的は、意匠性を向上させることにある。
【課題を解決するための手段】
【０００７】
本発明に係る空気調和機の室内機は、前面に本体開口部を具備する室内機本体と、該室内機本体に設置され、前記本体開口部を覆い且つ開放する回動パネルと、該回動パネルの前面に貼付され、該回動パネルに形成された回動パネル開口部を覆うスクリーンと、前記回動パネルに隙間を空けて設置され、前記回動パネルの前面を覆う前面パネルと、前記室内機本体に設置され、前記スクリーンに向けて光を出射することができる発光手段を具備する投影装置と、を有し、前記投影装置が、前記発光手段が搭載された基板を収納する基板収納箱を具備し、該基板収納箱の前面側に、前記回動パネルの後面に当接する当接部と、前記回動パネル開口部に侵入自在な侵入部とが形成され、前記侵入部の前面が前記スクリーンに当接した際、前記当接部が前記回動パネルの後面に当接し、前記侵入部の前面に、光透過範囲と光不透過範囲とを具備する印刷シートが設置され、前記基板収納箱の侵入部が、角部に面取り部が形成された略四角柱であって、前記基板収納箱の当接部が、前記面取り部の後面側に形成され、前記回動パネル開口部の隅部に面付け部が形成され、前記当接部が前記面付け部の後面に当接した際、前記侵入部の前面もしくは前記印刷シートが前記スクリーンに当接することを特徴とする。
【発明の効果】
【０００８】
この発明の空気調和機の室内機は、投影装置の基板収納箱の前面側に形成された侵入部が回動パネル開口部に侵入して、その前面がスクリーンに当接した際、当接部が回動パネルの後面に当接するから、侵入部が侵入することができる最大距離が決まっている。すなわち、スクリーンが過剰に押し付けられることがないから、スクリーンが撓んだり、剥がれたりするおそれがなくなる。
【図面の簡単な説明】
【０００９】
【図１】本発明の実施の形態１に係る空気調和機の室内機を説明する一部（前面パネル）を分解して示す斜視図。
【図２】図１に示す室内機を説明する側面視の断面図。
【図３】図１に示す室内機を説明する全体構成を分解して示す斜視図。
【図４】図１に示す室内機を説明する一部構成部材を分解して示す斜視図。
【図５】図１に示す室内機を説明する一部構成部材の組立状態を示す断面図。
【図６】図１に示す室内機を説明する投影装置を分解して示す斜視図。
【図７】図１に示す室内機を説明する組み立てられた投影装置が設置された状態を示す側面視の部分断面図。
【図８】図７の一部を拡大して示す部分断面図。
【図９】図１に示す室内機を説明する投影装置の基板ホルダーを示す斜視図。
【図１０】図１に示す室内機を説明する投影装置の構成部材同士の関係を示す一部構成部材を透過した斜視図。
【発明を実施するための形態】
【００１０】
［実施の形態１］
図１〜図４は本発明の実施の形態１に係る空気調和機の室内機を説明するものであって、図１は一部（前面パネル）を分解して示す斜視図、図２は前面パネルが閉じられた状態を示す側面視の断面図、図３は全体構成を分解して示す斜視図、図４は一部構成部材を分解して示す斜視図、図５は一部構成部材の組立状態を示す断面図である。なお、以下に示す各図において同じ部分または相当する部分には同じ符号を付している。また、各図は模式的に描いたものであって、本発明は図示された形態に限定されるものではない。
【００１１】
（室内機）
図１〜図３において、空気調和機の室内機（以下「室内機」と称す）１００は、吸引口１１１および吹出口１１３を具備する室内機本体１１０と、吸引口１１１から吹出口１１３に至る風路１１２を形成する送風手段１２０と、風路１１２内に配置された熱交換手段１３０と、を有している。そして、室内機本体１１０には、前面開口部１１６を覆う回動パネル３１０（前面パネル３３０が一体的に設置されている）と、運転状況等を表示する投影装置２００と、運転制御のためのセンサーユニット４００と、制御ユニット１６０と、が設置されている。
【００１２】
（室内機本体）
室内機本体１１０は室内の壁等に固定される基台１１４（以下、基台１１４側を「後面」と称す）と、基台１１４に固定される筐体（前面枠に同じ）１１５と、を有している。そして、筐体１１５の前面開口部１１６を覆う回動パネル３１０が、筐体１１５の前面寄り（室内機本体１１０の前面に同じ）に着脱自在かつ回動自在に設置されている。
筐体１１５の上面には吸引口１１１が形成され、筐体１１５の下面（前面の一部を含む）には吹出口１１３が形成され、基台１１４の一部が風路１１２の一部（後面側）を形成している。また、吹出口１１３には、前面上下風向ベーン１１７および下面上下風向ベーン１１８が設置されている。
【００１３】
送風手段１２０は基台１１４に装着されるものであって、風路１１２を形成している。熱交換手段１３０は基台１１４に装着されるものであって、後面側部分および前面側部分を具備し、風路１１２の送風手段１２０よりも上流側に配置され、図示しない室外機から供給される冷媒が流通する伝熱管１３１と、伝熱管１３１が貫通する複数枚の放熱フィン１３２と、を具備している。
そして、熱交換手段１３０の前面側部分の下方には、熱交換手段１３０から滴下したドレンを受け止めるドレンパン１４０が、基台１１４に装着されている。なお、ドレンパン１４０の下面の後面側は風路１１２の一部を形成するものであって、図示しない左右風向調整装置が設置されている。
さらに、風路１１２の吸引口１１１の近くで前面寄りに、フィルター１５１を清掃するためのフィルター自動清掃ユニット１５０が着脱自在かつ移動自在に設置されている（基台１１４には爪によって固定され、熱交換手段１３０にはネジによって固定されている）。そして、前面開口部１１６の上下方向の略中央に、フィルター１５１から落下した塵埃を貯溜するためのダストボックス１５２が設置されている。
【００１４】
（回動パネル）
図４の（ａ）および（ｂ）において、回動パネル３１０は、不透明な樹脂材料で成形された断面円弧状の板体である回動パネル面部３１１を具備し、回動パネル面部３１１の左右方向の中央で、やや下寄りの位置に、略四角形の回動パネル開口部３１２が形成されている。回動パネル開口部３１２の四隅には直角三角形の面付け部３１３が形成され、下側の側縁の中央には所定面積の突き出し部３１４が形成されているから、回動パネル開口部３１２は一部の辺が直線でない八角形と言うことができる。なお、面付け部３１３の後面は、ストッパーとして機能する（これについては別途詳細に説明する）。
回動パネル開口部３１２は、後記する投影装置２００の一部が侵入自在な大きさを有し、後記するスクリーン３２０によって覆われる。
また、センサーユニット４００のセンシング範囲（赤外線の検出可能範囲）を確保するための回動パネル孔３１５が形成されている。したがって、センサーユニット４００の設置位置に応じて、回動パネル孔３１５の位置は移動する。
【００１５】
さらに、回動パネル面部３１１の円弧状の端部の凹面側には、剛性を高めるための端部フランジ３１６ａ、３１６ｂと、筐体１１５に着脱自在かつ回動自在に設置するための支点となる支持腕３１８ａ、３１８ｂと、筐体１１５に着脱不能かつ回動不能に固定するための係止爪（図示しない）と、が形成されている。
また、回動パネル面部３１１の直線状の凹面側には、上側の側縁に剛性を高めるための側部フランジ３１７ａと、下側の側縁に近い位置に側部フランジ３１７ｂと、が形成されている。側部フランジ３１７ｂは、回動パネル開口部３１２と回動パネル孔３１５との間に設けられている。
なお、センサーユニット４００が設置されない場合には、当然に、回動パネル孔３１５は形成されない。また、回動パネル開口部３１２に形成された突き出し部３１４は、センサーユニット４００との関係で投影装置２００の形状を設計した結果であるから、センサーユニット４００が設置されない場合には、回動パネル開口部３１２の突き出し部３１４は形成されない。
【００１６】
（スクリーン）
図５の（ａ）において、回動パネル３１０の凸面側（表面に同じ）に貼付され、回動パネル開口部３１２を覆うスクリーン３２０は、厚さが０．１〜０．５ｍｍ程度（たとえば、約０．２ｍｍ）の可撓性を有するシート状で、半透明または不透明の樹脂材料であって、強い光（発光された出射光等）を透過させる一方、弱い光（発光しない物体からの反射光等）を遮蔽するものである。すなわち、発光しない物体を覆い隠す（発光しない物体の有無を視認できない状態にする）ことができるものである。そして、回動パネル３１０と同色で同柄（たとえば、共に無地）であるから、スクリーン３２０の周縁は不明りょうで、貼付されていることが分かり難くなっている。
特に、スクリーン３２０は、下辺３２１と上辺３２２とが直線で、側辺３２３ａ、３２３ｂが円弧状の略等脚台形であって、側辺３２３ａ、３２３ｂと上辺３２２とが滑らかに繋がっている。このため、前面パネル３３０を通して見た際、スクリーン３２０の周縁（回動パネル３１０との段差）はさらに不明りょうになっている。
【００１７】
（前面パネル）
図５の（ｂ）において、前面パネル３３０は、透明または半透明な樹脂材料で成形された面材である前面パネル面部３３１を有し、回動パネル面部３１１の曲面の曲率半径と略同じ曲率半径の曲面を具備する断面円弧状の板体であって、回動パネル３１０の凸面側（表面に同じ）を覆うものである。
すなわち、前面パネル面部３３１の円弧状の端部の凹面側には、剛性を高めるための端部フランジ３３６ａ、３３６ｂが形成され、直線状の側部の凹面側には、剛性を高めるための側部フランジ３３７ａ、３３７ｂが形成され、側部フランジ３３７ａ、３３７ｂには、回動パネル３１０に形成された係止手段に係止するための係止手段（図示しない）が形成されている。
【００１８】
また、回動パネル３１０の回動パネル孔３１５の位置に対応して、センサーユニット４００のセンシング範囲（赤外線の検出可能範囲）を確保するための前面パネル切欠部３３５が形成されている。なお、センサーユニット４００が設置されない場合や設置位置が変動した場合には、前面パネル切欠部３３５は形成されなかったり移動したりする。このとき、切欠形状が孔形状になる場合がある。
さらに、前面パネル３３０の凹面は平坦面（平滑面）に限定するものではなく、シボ加工によって細かい凹凸が形成されたものであってもよい。このとき、投影された文字や図形が軟らかく浮き上がるから、高級感が増すと共に、塵埃等が付着してもこれが目立たなくなるから、清潔感が増す。
【００１９】
（投影装置の構成）
次に、投影装置について詳細に説明する。 
図６〜図１０は本発明の実施の形態１に係る空気調和機の室内機に設置された投影装置を説明するものであって、図６は投影装置を分解して示す斜視図、図７は組み立てられた投影装置が室内機に設置された状態を示す側面視の部分断面図、図８は図７の一部を拡大して示す部分断面図、図９は投影装置の構成部材（基板ホルダー）を示す斜視図、図１０は投影装置の構成部材同士（基板ホルダーと回動パネル）の関係を示す一部構成部材（印刷シート）を透過した斜視図である。
図６〜図１０において、投影装置２００は、投影装置ベース枠部２２０と、表示内容が印刷された印刷シート２３０と、印刷シート２３０が前面に貼付された基板ホルダー２４０と、基板ホルダー２４０にネジ止めされる基板２５０と、投影装置ベース枠部２２０に接合されて投影装置ベース底部２６０を形成する板状のベース板部２６１と、を有している。そして、ベース板部２６１は筐体１１５に設置されている。
【００２０】
（投影装置ベース枠部）
投影装置ベース枠部２２０はＡＢＳ等の樹脂材料で成形され、断面四角形の筒体であるベース筒部２２１と、ベース筒部２２１の前面側の端部において内周側に突出するベースフランジ２２２と、ベース筒部２２１の後面側の端部の近くにおいて、所定の間隔を空けて複数箇所に形成されたベース係止孔２２３とを具備している。
【００２１】
（投影装置ベース底部）
投影装置ベース底部２６０はＡＢＳ等の樹脂材料から成形され、板状のベース板部２６１と、投影装置ベース枠部２２０のベース筒部２２１内に侵入自在なベース円環突起２６２と、ベース円環突起２６２の外周に形成され、投影装置ベース枠部２２０のベース係止孔２２３に係止するベース係止突起２６３と、を具備している。
したがって、ベース筒部２２１内にベース円環突起２６２を侵入させ、さらに、ベース係止孔２２３にベース係止突起２６３を係止させることによって、投影装置ベース枠部２２０と投影装置ベース底部２６０とは一体化し、投影装置ベースを形成する。
なお、本発明はかかる形態に限定するものではなく、ベース円環突起２６２内にベース筒部２２１を侵入自在にして、ベース円環突起２６２の内面にベース係止突起２６３を形成してもよく、あるいは、ベース円環突起２６２に係止用の孔または凹部を形成し、かかる孔または凹部に係止する突起をベース筒部２２１に形成してもよい。
【００２２】
（印刷シート）
印刷シート２３０は、スクリーン３２０に投影される数字や図形（記号、イラスト等）の輪郭が縁取り印刷（マスキングに同じ）されたもので、基板ホルダー２４０の前面に接着剤で貼り付けられている。
なお、印刷シート２３０の光が通過する範囲（マスキングによって覆われた範囲を除く範囲）は、無色であっても所定の色彩を有してもよい。また、前記数字や図形は、運転状態等を意味するものであって、たとえば、運転モード（冷房、暖房、乾燥、強弱（緩急）等）、設定温度（℃）、当該運転を開始してからの消費電力量（ｋＷｈ）、消費電力量に対応した電気代（円）、消費電力量を二酸化炭素の排出量に換算した値（ｋｇ）、あるいは、それらの月間（週間）累計値等の何れか１以上であるが、これらに限定するものではない。
【００２３】
（基板ホルダー）
基板ホルダー２４０は、投影装置ベース（投影装置ベース枠部２２０と投影装置ベース底部２６０とが一体化している）と共に、基板２５０を収納する基板収納箱を形成するものである。
すなわち、基板ホルダー２４０は、ＡＢＳ等の樹脂材料によって成形された断面四角形の枠体であるホルダー枠部２４１と、ベース筒部２２１の前面側の端面に形成された侵入部２４２と、ベース筒部２２１の前面側の端面に形成された当接部２４５と、ベース筒部２２１の後面側の端部の外周に形成されたホルダーフランジ２４６と、基板２５０を保持するための基板保持部２４７と、を具備している。侵入部２４２は回動パネル開口部３１２内に侵入自在であって、その外周形状は回動パネル開口部３１２の内周形状と略同一（僅かに小さい相似形）、すなわち、四角に直角三角形の面取り部２４３と、下側の側面の中央には所定面積の凹部２４４とがそれぞれ形成されている。当接部２４５は、面取り部２４３に相当する位置に形成されている（図９参照）。
【００２４】
そして、侵入部２４２には、基板２５０に実装された発光手段（ＬＥＤ）２５１によって発せられた光を通過させるためのホルダー投光窓２４８が形成されている。ホルダー投光窓２４８の大きさ（開口面積）は、これに対応した発光手段２５１の数量（１個または２個以上）に応じて決定されている。また、侵入部２４２の前面に印刷シート２３０が貼付され、全てのホルダー投光窓２４８は印刷シート２３０によって覆われている。
当接部２４５の前面と侵入部２４２の前面は平行であって、両者の距離（面取り部２４３に形成された段差の高さに同じ）Ｈ２は、回動パネル面部３１１の厚さＴ３から印刷シート２３０の厚さＴ２を引いたものに同じである（Ｈ２＝Ｔ３−Ｔ２、図８参照）。
【００２５】
すなわち、侵入部２４２が回動パネル開口部３１２内に侵入して、当接部２４５の前面が回動パネル３１０の面付け部３１３の後面に当接した際、印刷シート２３０の前面が、スクリーン３２０（回動パネル３１０の前面に貼付されている）の後面に、丁度当接するようになっている。このため、スクリーン３２０に過剰な力が作用することはなく、スクリーン３２０と印刷シート２３０との間に隙間ができることがない。
なお、前記のように２箇所において同時に当接し、しかも、厳密に、印刷シート２３０の前面がスクリーン３２０の後面を押し込まないようにすることは困難であるため、印刷シート２３０の前面がスクリーン３２０の後面を僅かに押し込むようにしている。
例えば、当接部２４５の前面と侵入部２４２の前面との距離Ｈ２と印刷シート２３０の厚さＴ２とを合計した値（Ｈ２＋Ｔ２）をプラス公差（例えば、−０．００ｍｍ、＋０．０１ｍｍ）で製作し、回動パネル面部３１１の厚さＴ３をマイナス公差（例えば、−０．０１ｍｍ、＋０．００ｍｍ）で製作すれば、スクリーン３２０と印刷シート２３０との間に隙間ができることがなく、しかも、スクリーン３２０を最大で０．０２ｍｍだけ押し込む程度に抑えられる。
【００２６】
なお、当接部２４５の前面と侵入部２４２の前面とは円弧面であるため、前記「平行」とは、一方が他方に向かって距離Ｈ２だけ平行移動したことに同じである。
また、本発明は、当接部２４５を直角三角形状に限定するものではなく、ホルダー枠部２４１の外面の全周に形成された突条または所定の間隔を空けて配置された複数の突起にしてもよい。また、当接部２４５は、面付け部３１３の後面に当接する限り、その形状は限定されるものではなく、円柱等であってもよい。
さらに、回動パネル開口部３１２の形状も限定するものではなく、面付け部３１３を有しない四角形や楕円形にして、面付け部３１３に替えて、その縁に近い所定位置に当接部２４５が当接するようにしてもよい。
【００２７】
（基板）
基板２５０には、表示手段としての発光手段（たとえば、ＬＥＤ）２５１が実装され、基板ホルダー２４０内に収納され、基板保持部２４７によって保持されている。なお、発光手段２５１の出射する光の強さや色彩は限定するものではない。
【００２８】
（付勢手段）
基板２５０の後面と投影装置ベース底部２６０のベース板部２６１の前面との間に、付勢手段であるコイルスプリング２９０が配置され、基板２５０を前面方向に押し出している。このとき、基板２５０は基板保持部２４７に押し当てられているから、基板ホルダー２４０が前面方向に押し出されている。
そして、基板ホルダー２４０の当接部２４５が回動パネル３１０の面付け部３１３に当接しない場合、基板ホルダー２４０のホルダーフランジ２４６が、投影装置ベース枠部２２０のベースフランジ２２２に当接するから、基板ホルダー２４０は進退自在であって、投影装置ベース枠部２２０から抜け出し不能に保持されている（図１０参照）。
なお、以上は、ホルダーフランジ２４６およびベースフランジ２２２の両方が、環状に形成されたものを示しているが、本発明はこれに限定するものではなく、前記当接が可能で、前記抜け出しを防止する限り、所定の間隔を空けて配置された所定の幅の板片状であってもよい。
また、以上は、コイルスプリング２９０が基板２５０を介して基板ホルダー２４０を付勢しているが、本発明はこれに限定するものではなく、コイルスプリング２９０が基板保持部２４７を直接付勢してもよい。また、コイルスプリング２９０に替えて、例えば、ウレタン等の合成樹脂を用いてもよい。
【００２９】
（発光手段の点灯状況）
前記のように、回動パネル３１０が閉じて、室内機本体１１０の前面開口部１１６を塞いだ際、回動パネル３１０の回動パネル開口部３１２に、投影装置２００を形成する基板ホルダー２４０の侵入部２４２が侵入し、当接部２４５が回動パネル３１０の面付け部３１３に当接している。
したがって、仮に、回動パネル３１０に反り等がある場合、あるいは、回動パネル３１０が閉じた際の姿勢が微妙に変化した場合でも、回動パネル３１０に貼付されたスクリーン３２０の後面に、侵入部２４２の前面に貼付された印刷シート２３０の前面が当接し、しかも、スクリーン３２０に過剰な力が作用しない。
そして、スクリーン３２０と前面パネル３３０とが所定の間隔を空けて重なった状態は半透明または不透明であるものの、発光手段２５１からの出射光はこれを透過するから、発光手段２５１を点灯することによって、印刷シート２３０に印刷された数字や図形が、前面パネル３３０の前面に投影されることになる。
すなわち、複数の発光手段２５１の点灯要領を変更することによって、必要な運転状態等が使用者に周知されることになるから、使用者の意識を喚起し、省エネ運転が促進される。そして、前面パネル３３０の簡素な面に、数字や図形が光によって浮き上がるように表示されるから、機能性が担保されると共に、清涼感および高級感が醸し出され、室内機１００の商品価値が向上する。
【００３０】
（発光手段の消灯状況）
一方、スクリーン３２０と前面パネル３３０とが所定の間隔を空けて重なった状態は半透明または不透明であって、弱い光（発光しない物体からの反射光等）を遮蔽するものであるから、発光手段２５１を消灯することによって、印刷シート２３０の周縁（回動パネル３１０との段差）や基板ホルダー２４０等の投影装置２００を構成する部材が、覆い隠され、室内機１００の外部からこれを視認することができない。
すなわち、使用者は、前面パネル３３０の裏側（後面寄りの位置）に投影装置２００が設置されていることに気付かなくなる。
そして、前記のように、スクリーン３２０は、下辺３２１と上辺３２２とが直線で、側辺３２３ａ、３２３ｂが円弧状の略等脚台形であるから、スクリーン３２０の周縁（回動パネル３１０との段差）は不明りょうになっている。
【００３１】
（センサーユニット）
さらに、投影装置２００に挟まれて運転制御のためのセンサーユニット４００が配置されている。センサーユニット４００はセンサー本体４０１と、センサー本体４０１を揺動させられる（所定の回転角度の間を往復する）センサーモーター４０２と、を有し、センサーモーター４０２が筐体１１５に固定されている。
また、回動パネル３１０には回動パネル孔３１５が、前面パネル３３０には前面パネル切欠部３３５がそれぞれ形成されているから、回動パネル３１０が室内機本体１１０の前面開口部１１６を覆った際、センサーユニットのセンシング範囲が確保されている。
【００３２】
したがって、回動パネル３１０（前面パネル３３０が一体的に接合されている）が室内機本体１１０の前面開口部１１６を覆った状態で、センサー本体４０１は、室内の広い範囲をセンシングすることが可能になっている。
なお、センサー本体４０１は、室内の温度分布（人間の位置を含む）や人間の体感温度、あるいは室内空気に含まれる塵埃の量等を検知するものであるが、これに限定するものではない。また、本発明はセンサーユニット４００の種類や形状を限定するものではなく、さらに、センサーユニット４００の設置を省略してもよい。
【００３３】
（投影装置の変形例）
以上に説明した投影装置２００は、筐体１１５に設置された基板ホルダー２４０と投影装置ベース底部２６０との間にコイルスプリング２９０が配置され、基板ホルダー２４０が前面側に付勢されているが、本発明はこれに限定するものではなく、基板ホルダー２４０と投影装置ベース底部２６０との間からコイルスプリング２９０を撤去して、コイルスプリング２９０を筐体１１５と基板ホルダー２４０との間に配置してもよい。
このとき、基板ホルダー２４０、投影装置ベース枠部２２０および投影装置ベース底部２６０は一体的に接合され、かかる接合体の内部に基板２５０が設置されている（図示しない）。
【符号の説明】
【００３４】
１００：室内機、１１０：室内機本体、１１１：吸引口、１１２：風路、１１３：吹出口、１１４：基台、１１５：筐体、１１６：前面開口部、１１７：前面上下風向ベーン、１１８：下面上下風向ベーン、１２０：送風手段、１３０：熱交換手段、１３１：伝熱管、１３２：放熱フィン、１４０：ドレンパン、１５０：フィルター自動清掃ユニット、１５１：フィルター、１５２：ダストボックス、１６０：制御ユニット、２００：投影装置、２２０：投影装置ベース枠部、２２１：ベース筒部、２２２：ベースフランジ、２２３：ベース係止孔、２３０：印刷シート、２４０：基板ホルダー、２４１：ホルダー枠部、２４２：侵入部、２４３：面取り部、２４４：凹部、２４５：当接部、２４６：ホルダーフランジ、２４７：基板保持部、２４８：ホルダー投光窓、２５０：基板、２５１：発光手段、２６０：投影装置ベース底部、２６１：ベース板部、２６２：ベース円環突起、２６３：ベース係止突起、２９０：コイルスプリング、３１０：回動パネル、３１１：回動パネル面部、３１２：回動パネル開口部、３１３：面付け部、３１４：突き出し部、３１５：回動パネル孔、３１６ａ：端部フランジ、３１６ｂ：端部フランジ、３１７ａ：側部フランジ、３１７ｂ：側部フランジ、３１８ａ：支持腕、３１８ｂ：支持腕、３２０：スクリーン、３２１：下辺、３２２：上辺、３２３ａ：側辺、３２３ｂ：側辺、３３０：前面パネル、３３１：前面パネル面部、３３５：前面パネル切欠部、３３６ａ：端部フランジ、３３６ｂ：端部フランジ、３３７ａ：側部フランジ、３３７ｂ：側部フランジ、４００：センサーユニット、４０１：センサー本体、４０２：センサーモーター。
【図１】
0005611153.tif 000002
【図２】
0005611153.tif 000003
【図３】
0005611153.tif 000004
【図４】
0005611153.tif 000005
【図５】
0005611153.tif 000006
【図６】
0005611153.tif 000007
【図７】
0005611153.tif 000008
【図８】
0005611153.tif 000009
【図９】
0005611153.tif 000010
【図１０】
0005611153.tif 000011